(57)【要約】    【課題】打抜き速度を向上させても打抜き精度の低下を生じ難い打抜き刃型を提供し、ひいては、フードパックや発泡トレーなどといった大量消費される成形品の生産性向上を図ること。    【解決手段】熱成形された樹脂シートを打抜いて該樹脂シートから前記熱成形によって形成された成形品を切り出すべく、前記成形品の輪郭形状に相当する環形状に形成された抜き刃と、該抜き刃を支持する板状の刃台とを備え、前記刃台の表面から前記抜き刃を突出させている打抜き刃型であって、前記抜き刃の内側の空気が樹脂シートの前記打抜きにおいて圧縮された際に該空気を刃台の裏面側に逃がし得るように前記抜き刃の内側において前記刃台を表裏に貫通する貫通孔が設けられており、前記刃台を表面平坦な支持材で裏面側から支持して前記打抜きを実施させた際においても前記空気を刃台の裏面側から該刃台の周囲に放出させ得るように前記貫通孔から前記刃台の外周部に続く溝が前記刃台の裏面側に設けられていることを特徴とする打抜き刃型を提供する。【選択図】  図１
2012125861.tif 000002
【特許請求の範囲】
【請求項１】
熱成形された樹脂シートを打抜いて該樹脂シートから前記熱成形によって形成された成形品を切り出すべく、前記成形品の輪郭形状に相当する環形状に形成された抜き刃と、該抜き刃を支持する板状の刃台とを備え、前記刃台の表面から前記抜き刃を突出させている打抜き刃型であって、
前記抜き刃の内側の空気が樹脂シートの前記打抜きにおいて圧縮された際に該空気を刃台の裏面側に逃がし得るように前記抜き刃の内側において前記刃台を表裏に貫通する貫通孔が設けられており、前記刃台を表面平坦な支持材で裏面側から支持して前記打抜きを実施させた際においても前記空気を刃台の裏面側から該刃台の周囲に放出させ得るように前記貫通孔から前記刃台の外周部に続く溝が前記刃台の裏面側に設けられていることを特徴とする打抜き刃型。
【請求項２】
複数の成形品が形成された樹脂シートから該成形品を一度に切り出し得るように前記刃台には前記抜き刃が複数配列されており、該複数の抜き刃の内側に設けられた貫通孔を交点とした格子状となって前記溝が設けられている請求項１記載の打抜き刃型。
【発明の詳細な説明】
【技術分野】
【０００１】
本発明は、打抜き刃型に関し、より詳しくは、熱成形された樹脂シートの打抜きに用いられる打抜き刃型に関する。
【背景技術】
【０００２】
従来、熱可塑性樹脂が用いられてなる発泡シートや透明フィルムといった樹脂シートを熱成形してトレーや蓋などの容器を作製することが行われている。
この種の熱成形においては、容器形状に相当する凹部が形成された成形型に加熱して軟化させた樹脂シートを覆い被せ前記凹部において開口している真空孔から真空引きを行って前記樹脂シートを前記凹部の形状にあわせて変形させる真空成形法と呼ばれる方法などが採用されている。
【０００３】
なお、容器などの成形品を形成させるのに際しては、一度に複数の成形品を作製し得るように、通常、前記凹部が縦横に複数配列された多数個取りの成形型が用いられている。
そして、このような熱成形によって樹脂シートに形成させた成形品を樹脂シートから切り出すのに際しては、従来、トムソン刃型（ビク型）などの打抜き刃型が用いられている（下記特許文献１参照）。
このトムソン刃型は、成形品の輪郭形状に相当する環形状に形成された抜き刃と、合板などからなる前記抜き刃を支持するための刃台とによって構成されており、刃台の表面から突出させた前記抜き刃の刃先を樹脂シートに押し当てて該刃先で当該樹脂シートをその厚み方向に押切りすることにより前記成形品を切り出すように形成されている。
【０００４】
より詳しくは、一般的なトムソン刃型においては、成形品の外周長に略等しい長さを有し、長手方向一側縁に沿って刃先が形成され、他側縁が刃元とされた板刃を成形品の輪郭形状となるように環状に折り曲げ、必要に応じて前記板刃の端部どうしを溶接するなどして前記抜き刃が形成されている。
一方で、前記刃台には前記抜き刃の環形状と同形のスリットがレーザー加工機などを用いて形成されている。
そして、トムソン刃型は、前記刃台のスリットに前記抜き刃の刃元側を埋設固定させることによって形成されている。
そのようなことからトムソン刃型は、多大な手間を要することなく簡便に作製することができ、多くの種類の型を取り揃える必要があるような製造現場において広く利用されている。
【０００５】
一方でトムソン刃型によって樹脂シートから成形品を打ち抜くと打ち抜き位置がずれ易く、成形品の形状を安定させることが難しいという問題を有している。
一般的な豆腐用容器を例にすると、該豆腐用容器には、容器に矩形の開口が形成され該開口を包囲する形で所定幅のフランジ部が設けられているが、このような成形品を打ち抜く際に位置ずれを生じると、前記矩形開口の４辺からフラン部の先端までの距離に違いが生じて一容器内でフランジ部の幅を異ならせたり、フランジ部の先端によって画定される当該豆腐用容器の輪郭形状に対して前記矩形開口が斜めに歪んだ状態になってしまったりするおそれを有する。
近年の容器製造プロセスにおいては画像処理装置などが採用され、熱成形によって樹脂シートに形成された成形品と打抜き刃型との相対位置の位置決めが精度良くなされるようになってきているが、いまだ十分に打抜き精度の向上が図られていないのが実情である。
【０００６】
特に、フードパックや発泡トレーなどといった大量消費される成形品においては、熱成形後の樹脂シートからこれらの製品をいち早く取り出すことが求められているが、トムソン刃型などのような打抜き刃型での打抜き速度を向上させると位置ずれを生じ易く、これらの成形品の生産性向上を図ることが難しい状況となっている。
【先行技術文献】
【特許文献】
【０００７】
【特許文献１】特開平０９−０２０３２５号公報
【発明の概要】
【発明が解決しようとする課題】
【０００８】
本発明は、上記のような問題点に鑑みてなされたものであり、打抜き速度を向上させても打抜き精度の低下を生じ難い打抜き刃型を提供し、ひいては、フードパックや発泡トレーなどといった大量消費される成形品の生産性向上を図ることを課題としている。
【課題を解決するための手段】
【０００９】
本発明者は、上記のような課題に着目して樹脂シートを打ち抜く際の挙動について鋭意検討したところ、熱成形された樹脂シートをトムソン刃型などのような環形状の抜き刃を用いて打抜く際には、樹脂シートに形成させた成形品を抜き刃の内側に収容させることになるため抜き刃の内側の空気が圧縮され易い状況になっていること、並びに、抜き刃が樹脂シートによって蓋をされるような状態になるために抜き刃の内側の空気が行き場を失って刃先と樹脂シートとの間を通り抜けて外部に漏れ出し易い状況になっていることを見出した。
【００１０】
そして、本発明者は、打抜き速度を向上させるとこのような挙動が顕著になって刃先と樹脂シートとの間を空気が通り抜ける際に位置ずれを生じさせ易くなっていることを見出し本発明を完成させるに至った。
【００１１】
即ち、上記課題を解決するための打抜き刃型に係る本発明は、熱成形された樹脂シートを打抜いて該樹脂シートから前記熱成形によって形成された成形品を切り出すべく、前記成形品の輪郭形状に相当する環形状に形成された抜き刃と、該抜き刃を支持する板状の刃台とを備え、前記刃台の表面から前記抜き刃を突出させている打抜き刃型であって、前記抜き刃の内側の空気が樹脂シートの前記打抜きにおいて圧縮された際に該空気を刃台の裏面側に逃がし得るように前記抜き刃の内側において前記刃台を表裏に貫通する貫通孔が設けられており、前記刃台を表面平坦な支持材で裏面側から支持して前記打抜きを実施させた際においても前記空気を刃台の裏面側から該刃台の周囲に放出させ得るように前記貫通孔から前記刃台の外周部に続く溝が前記刃台の裏面側に設けられていることを特徴としている。
【発明の効果】
【００１２】
本発明においては、抜き刃の内側において刃台を表裏に貫通する貫通孔と、前記刃台の裏面側に前記貫通孔から該刃台の外周部に続く溝が形成されていることから樹脂シートの打抜きにおいて抜き刃の内側の空気が圧縮された場合でも前記貫通孔と前記溝とを通じて前記空気を刃台の周囲に放出させ得る。
従って、打抜き速度を向上させた場合においても刃先と樹脂シートとの間を空気が通り抜けることを防止することができ、樹脂シートに位置ずれを抑制させ得る。
即ち、本発明によれば打抜き速度を向上させても打抜き精度の低下を生じ難い打抜き刃型を提供し得る。
【図面の簡単な説明】
【００１３】
【図１】熱成形された樹脂シートから打抜き刃型によって切り出される樹脂トレーを示した斜視図。
【図２】一実施形態の打抜き刃型を示した斜視図。
【図３】同実施形態の打抜き刃型の裏面側の様子を示した平面図。
【図４】同実施形態の打抜き刃型の使用態様を示す斜視図。
【図５】熱成形された樹脂シートを打抜き刃型で打抜く様子を図４のＸ−Ｘ線断面において示した図。
【発明を実施するための形態】
【００１４】
以下に、本発明の打抜き刃型とその使用方法について、樹脂発泡シートを熱成形して角型の発泡トレーを作製する場合を例に、図を参照しつつ説明する。
【００１５】
まず、本実施形態の打抜き刃型を使用して樹脂発泡シートから切り出される成形品（発泡トレー）ついて説明する。
前記発泡トレーは、熱可塑性樹脂が用いられてなる樹脂発泡シートが熱成形されて形成されたものであり、図１に示す斜視図のような形状を有している。
図１における符号“Ｔ”は、発泡トレーを示しており、この図にも示されているように、発泡トレーＴは、平面視における輪郭形状が略長方形となるように形成されており、底部ＴＢと、該底部ＴＢの外周から外向きに広がるようにして立ち上がる周側壁ＴＷとによって当該発泡トレーＴに、収容物を収容させるための収容凹部ＴＳが形成されている。
また、前記発泡トレーＴは、前記周側壁ＴＷの上端から外向きに突出するフランジ部ＴＦを有しており、該フランジ部ＴＦの先端ＴＦａによって長方形の前記輪郭形状が画定されている。
【００１６】
この発泡トレーＴは、樹脂発泡シートに熱成形が施され、前記収容凹部ＴＳに相当する凹部が前記樹脂発泡シートに形成された後に、該凹部よりも一回り大きな形状に切り出されて形成されたものであり、この樹脂発泡シートから発泡トレーＴを切り出すのに本実施形態に係る打抜き刃型が使用される。
【００１７】
図２は、本実施形態に係る打抜き刃型の斜視図であり、図中の符号“１”が当該打抜き刃型を表している。
この図にも示されているように、本実施形態に係る打抜き刃型１は、熱成形された樹脂発泡シートを打抜いて該樹脂発泡シートから前記熱成形によって形成された発泡トレーＴを切り出すべく、前記発泡トレーの輪郭形状に相当する環形状に形成された抜き刃１０と、該抜き刃１０を支持する板状の刃台２０とを備えている。
前記抜き刃１０は、長板状の板刃が前記環形状に折り曲げられて形成されており、前記板刃の一側縁に相当する側の一端縁に刃先１１が形成されており、他端側が刃元１２となっている。
この抜き刃１０は、平面視における形状が発泡トレーＴの輪郭形状と同じ長方形となるように形成されており、前記刃元１２には、刃先１１の方向に向けて切り欠かれた切欠部１２ａが、前記長方形の各辺中央部に相当する位置に設けられている。
即ち、前記刃元１２には、合計４箇所の切欠部１２ａが設けられている。
【００１８】
前記刃台２０は、前記抜き刃１０を縦横に多数配列させるのに十分な面積を有する矩形合板によって形成されており、本実施形態においては、前記抜き刃１０を縦方向に３個、横方向に４個、計１２個配列させている。
この刃台２０には、前記抜き刃１０の環形状に相当するスリット２３が設けられており前記抜き刃１０は、該スリット２３に前記刃元側を挿入させて前記刃台２０に固定されている。
【００１９】
なお、このスリット２３は、前記抜き刃１０の刃元側の端面を刃台２０の裏面２０ｂと面一になるまで前記抜き刃１０を挿入させ得るように刃台２０の表面２０ａから裏面２０ｂにまで貫通する状態で設けられている。
ただし、前記切欠部１２ａに相当する位置においては裏面２０ｂにまで貫通されていない。
従って、本実施形態に係る打抜き刃型１においては、抜き刃１０の刃元側の端面を刃台２０の裏面２０ｂに露出させているものの周方向においては前記切欠部１２ａに相当する部分で不連続となるように露出させており、前記抜き刃１０の内側の領域と外側の領域とが抜き刃１０によって縁切りされてはおらず、前記切欠部１２ａにおいて前記領域どうしが連結された状態になっている。
また、前記刃台２０は、抜き刃１０の高さ（刃先から刃元までの幅）に対してその厚みが薄く前記刃元側の端面が刃台２０の裏面２０ｂに面一になるまで抜き刃１０をスリット２３に挿入させた場合でも、当該抜き刃１０の刃先１１を表面２０ａから突出させ得るようになっている。
【００２０】
さらには、この打抜き刃型１は、図５にも示すように、前記発泡トレーＴの外表面となる側から製品（発泡トレー）形状の形成された樹脂発泡シート５０を打抜いた際に前記抜き刃１０の内側の領域において発泡トレーＴの底部ＴＢと刃台２０とが干渉しないように前記発泡トレーＴの容器高さよりも前記抜き刃１０の突出高さを高くさせている。
【００２１】
本実施形態に係る前記打抜き刃型１は、前記抜き刃１０の内側の空気が樹脂シート５０の打抜きにおいて圧縮された際に前記空気を刃台２０の裏面２０ｂから逃がし得るように前記抜き刃１０の内側において前記刃台２０を表裏に貫通する貫通孔２１が設けられている。
該貫通孔２１は、刃台２０の表面２０ａにおいて円形の開口２１ａを有するとともに刃台２０の裏面２０ｂにおいても同形状の開口２１ｂを有しており、これらの開口２１ａ，２１ｂは、抜き刃１０の略中心となる位置に配されている。
即ち、前記貫通孔２１は、前記抜き刃１０の略中心位置において刃台２０を略垂直に貫通する状態で形成されている。
【００２２】
さらに、本実施形態に係る前記打抜き刃型１は、一般的な打抜きプレスのプレスボードのような表面平坦な支持材で前記刃台２０を裏面側から支持して前記打抜きを実施させた際においても刃台２０の裏面側から該刃台の周囲に前記空気を放出させ得るように前記貫通孔２１から前記刃台２０の外周部に続く溝２２が前記刃台２０の裏面側に設けられている。
【００２３】
なお、前記貫通孔２１は、図に例示のごとくそれぞれの抜き刃１０に対して１つずつ設けてもよく、要すれば、一つの抜き刃１０の内側に複数の貫通孔を設けてもよい。
この貫通孔２１の大きさなどは特に限定されるものではないが、過度に小さい場合には空気の通過抵抗が大きくなるため、例えば、その断面における直径を数ｍｍ〜数ｃｍとすることができる。
また、図に例示のごとく、貫通孔２１の断面形状を円形にする必要ななく、また、その貫通方向も刃台に対して斜めに形成させても良い。
【００２４】
また、前記溝２２もその幅、深さ、延在する方向などが特に限定されるものではなく、通常、幅数ｍｍ〜十数ｍｍ、深さ数ｍｍの溝を前記貫通孔２１から刃台２０の外周部まで直線的に設けるようにすればよい。
ただし、本実施形態に係る打抜き刃型１のように複数の成形品が形成された樹脂シートから該成形品を一度に切り出し得るように前記刃台２０に抜き刃１０が複数配列されているような打抜き刃型１においては、該打抜き刃型１の裏面側における空気の流れに偏りが形成されないように一つの貫通孔２１に対して複数の溝を設け貫通孔に流入された空気をこれらの内のいずれかからでも刃台２０の周囲に放出させ得るようにしておく方が好ましく、また、一つの貫通孔と別の貫通孔との間を連通させる溝を設けることが好ましい。
【００２５】
このことに関し、本実施形態に係る打抜き刃型１の裏面側の様子を示した図３を参照しつつ説明すると、前記刃台２０において複数の抜き刃１０が縦横に配列されているような場合であれば、該抜き刃１０の内側に設けられた貫通孔２１を交点とした格子状となるように前記溝２２を設けることが好ましい。
この図３に例示の溝２２は、図にも示されているように、前記抜き刃１０の切欠部１２ａにおいて前記刃台２０が抜き刃１０の内外を連結させている連結部２４を通る形で格子状（碁盤目状）に配されており、その終端を、刃台２０の外周部、より詳しくは、刃台２０の側端面２０ｅにおいて開口させている。
このような形で溝２２を設けることで、熱成形された樹脂発泡シートの打抜き時において抜き刃１０の内側領域の空気が圧縮された場合でも、該空気を種々の経路を辿って刃台２０の外周部に到達させることができる。
従って、より速い速度での打抜きにおいても効果的に空気を外部に放出させることができ、発泡トレーＴの打抜きズレを防止することができる。
即ち、図３に例示のごとく溝２２を設けることで、打抜き速度を向上させても打抜き精度の低下を生じ難いという本発明の効果をより顕著に発揮させ得る。
【００２６】
次いで、このような打抜き刃型１の用い方について説明すると、一般的に樹脂発泡シートによる発泡トレーを製造する場合のみならず、樹脂シートを熱成形して成形品を作製するような場合には、長尺帯状の樹脂シートを用いて、この樹脂シートに対して熱成形の工程と打抜き工程とが連続的に実施されている。
例えば、この連続プロセスの概要を示した斜視図である図４を参照しつつ説明すると、樹脂発泡シート５０は、該樹脂発泡シート５０を成形加工が可能な程度に軟化させるための加熱ゾーン（図示せず）、製造する発泡トレーＴの形状に相当する凹部４１が縦横に配列された成形型４０で前記樹脂発泡シート５０を熱成形する成形ゾーンＡ１、該成形ゾーンＡ１における熱成形で形成され、該樹脂発泡シートと未分離の発泡トレー５１（以下「打抜前製品５１」ともいう）を前記打抜き刃型１で打抜いて前記樹脂発泡シート５０から最終製品となる発泡トレーＴを切り出す打抜きゾーンＡ２、該打抜きゾーンＡ２において発泡トレーが打抜かれた残りの端材５２を処理する端材処理ゾーン（図示せず）を順に通過する形で発泡トレーの製造に利用され消費される。
【００２７】
この打抜きゾーンＡ２における工程を、図４におけるＸ−Ｘ線断面図である図５を参照しつつ説明する。
本実施形態においては、発泡トレーＴの内面となる側を上向きにして樹脂発泡シート５０が水平に保持された状態で成形ゾーンＡ１から打抜きゾーンＡ２に導入される。
この打抜きゾーンＡ２においては、上下動可能なプレスボード６を有するプレス装置が備えられており、前記プレスボード６は、本実施形態に係る打抜き刃型１よりも一回り大きな板状体でありその板面を水平方向に配した状態でプレス装置に設けられている。
該プレス装置には、前記プレスボード６の上方において前記プレスボードと対向するように固定配置された第二のプレスボード７（以下、「上プレスボード７」ともいう）が備えられており、該上プレスボード７と、上下動可能な下側のプレスボード６（以下、「下プレスボード６」ともいう）とは、その間の距離を前記打抜き刃型１の抜き刃１０の厚み以下に接近させ得るように前記プレス装置に備えられている。
【００２８】
前記打抜きゾーンＡ２においては、前記上プレスボード７と前記下プレスボード６との間に前記成形ゾーンＡ１で熱成形された樹脂発泡シート５０を導入して打抜前製品５１の外表面側、即ち樹脂発泡シート５０の下面側から前記打抜き刃型１による打抜きを実施し得るように、前記打抜き刃型１は、前記抜き刃１０を突出させた表面側を上に向けて前記下プレスボード６の上面側に配置されている。
【００２９】
すなわち、前記打抜き刃型１は、前記刃台２０を下プレスボード６で裏面側から支持させて前記打抜きを実施させ得るように前記プレス装置にセットされており、該打抜き刃型１を打抜き時に支持するための支持材となる下プレスボード６とともに上下動し得るように前記プレス装置にセットされている。
【００３０】
本実施形態に係る打抜き刃型１は、前記成形型４０における凹部４１の配列と同じ配列で前記抜き刃１０を配列させており、前記成形型４０で形成させた複数の打抜前製品５１を前記プレス装置でのワンショットの打抜きによって個別の発泡トレーＴとして樹脂発泡シート５０から一度に切り出しうるようになっている。
【００３１】
この打抜き時の挙動について図５を参照しつつ説明すると、前記成形ゾーンＡ１から打抜きゾーンＡ２に導入させた樹脂発泡シート５０は、前記打抜前製品５１の底部及び周側壁に相当する部分を下面側に膨出させた状態となっており、この膨出部分を前記抜き刃１０の内側に収容させる形で打抜き刃型１の上に載置される（図５（ａ））。
その後、該打抜き刃型１を裏面側から支持する下プレスボード６を上方に移動させることにより前記樹脂発泡シート５０が前記抜き刃１０の刃先１１で下側から持ち上げ、この樹脂発泡シート５０の上面側が前記上プレスボード７の下面側に当接するまで下プレスボード６を上方に移動させる。
さらに、樹脂発泡シート５０の厚みに相当する分だけ下プレスボード６を上方に移動させると抜き刃１０の刃先１１が上プレスボード７の下面側に当接し樹脂発泡シート５０を下面側から切断することになる。
【００３２】
この時、抜き刃１０の刃先１１が樹脂発泡シート５０の下面側から侵入し始めて上プレスボード側に貫通するまでの時間は、通常、１秒以下の瞬間的なものである。
また、樹脂発泡シート５０の膨出部分を前記抜き刃１０の内側に収容し始めてから、切り出された発泡トレーを抜き刃１０の内側から取り除くまでの時間は、通常、成形ゾーンＡ１での熱成形に要する時間と略同じとされ、数秒の間に実施されることになる。
【００３３】
そのため、本実施形態に係る打抜き刃型１のように貫通孔２１を設けていないと、前記膨出部分の収容時や打抜きが始まる瞬間における樹脂発泡シート５０の変形によって抜き刃１０の内側領域１０ｘの空気が圧縮される際に、この空気が行き場を失って刃先１１と樹脂発泡シート５０との間を通って外部に漏出しようとするため発泡トレーＴの形状を正確に切り出すことが難しくなる。
また、単に貫通孔２１のみを設けただけでは、本実施形態に係る打抜き刃型１を刃台２０の裏面側から支持させるための支持材として、前記下プレスボード６に表面平坦な板状体を採用した際に、前記貫通孔２１が裏面側から前記下プレスボード６で裏面側から閉塞されてしまうことになるため前記溝２２を刃台の裏面側に設けることが樹脂発泡シート５０から発泡トレーＴの形状を正確に切り出す上において重要である。
【００３４】
即ち、図５（ｂ）に示すように、樹脂発泡シート５０を打抜く際には、刃台の表面２０ａにおける開口から抜き刃１０の内側領域１０ｘの空気が貫通孔２１に流入する気流Ｆ１が形成されるとともに刃台２０の側端面２０ｅを取り巻く空間と前記貫通孔２１とを刃台２０の裏面２０ｂにおいて連通する溝２２を通じて前記空気を刃台２０の周囲に放出する気流Ｆ２が形成される。
このことによって刃先１１と打抜前製品５１との相対位置が打抜き時にずれてしまうことを防止することができる。
【００３５】
なお、打抜き工程において樹脂発泡シート５０から切り出された発泡トレーＴは、抜き刃１０の内側に収容されることになるが、この発泡トレーＴを抜き刃１０の内側から取り出す際にも前記貫通孔２１並びに前記溝２２が有効に作用することになる。
即ち、貫通孔２１などを有していないと、発泡トレーＴを抜き刃１０の内側から取り除こうとした際に発泡トレーＴと刃台２０との間の空間が広がることで当該空間が減圧され、抜き刃１０の内側に引き戻すような力が発泡トレーＴに作用することになるが、本実施形態の打抜き刃型１においては、前記溝２２及び前記貫通孔２１を通じて抜き刃１０の内側領域１０ｘに空気を流入させ得ることから発泡トレーＴを容易に取り出しうる。
【００３６】
即ち、本発明によれば、打抜き速度を向上させても打抜き精度の低下を生じ難いばかりでなく、打抜かれた成形品の取り出し速度の向上を図ることもできる。
従って、得られる成形品の品質の低下を抑制しつつ打抜き工程のタクトタイムを短縮させることができ、ひいては、成形品の製造コストの低減を図ることができる。
【００３７】
なお、前記発泡トレーＴは、一般的に大量消費されており、より生産性の向上が要望されている。
従って、本発明の効果を顕著に発揮させやすい点において、本実施形態においては、樹脂発泡シートから発泡トレーを切り出す場合を例に本発明の打抜き刃型の使用態様を説明しているが、本発明の打抜き刃型は、このような形状の発泡トレーのみならず、例えば、丼形状等のトレー以外の容器形状の形成された樹脂発泡シートから成形品を切り出すのにも利用され得る。
また、容器以外の発泡成形品の打ち抜きにも利用可能なものである。
さらには、本実施形態においては、打抜きを行う樹脂シートとして樹脂発泡シートを例示しているが、例えば、フィルム状の樹脂シートを熱成形して豆腐用容器などの成形品を作製する場合や、食品収容用容器の透明蓋やフードパックなどの成形品を作製する場合などにおいても本発明の打抜き刃型を用いうる。
その他、打抜き刃型において従来公知の事項を本発明の打抜き刃型にも、本発明の効果が著しく損なわれない範囲において適宜採用が可能なものである。
【符号の説明】
【００３８】
１     打抜き刃型
６     下プレスボード
７     上プレスボード
１０   抜き刃
１０ｘ 内側領域
１１   刃先
１２   刃元
１２ａ 切欠部
２０   刃台
２１   貫通孔
２２   溝
４０   成形型
５０   樹脂発泡シート
Ａ１   成形ゾーン
Ａ２   打抜きゾーン
Ｔ     発泡トレー
【図１】
2012125861.tif 000003
【図２】
2012125861.tif 000004
【図３】
2012125861.tif 000005
【図４】
2012125861.tif 000006
【図５】
2012125861.tif 000007